(57)【要約】【課題】  信号形式の異なるシステム間で高速に信号を転送する集積回路を提供する。【解決手段】  信号形式の異なるシステム間でビットレートがＭＧｂｐｓの信号を信号形式を変換して転送するＭＧｂｐｓトランスポンダ、同じくＭＧｂｐｓの信号を４多重したビットレートに相当するＮＧｂｐｓの信号を転送するＮＧｂｐｓトランスポンダ、およびＭＧｂｐｓの信号を多重してＮＧｂｐｓで転送するＭＧｂｐｓ多重トランスポンダを、１チップまたは同じ構成の２チップの集積回路で実現する。【選択図】  図１
2008092410.tif 000002
【特許請求の範囲】
【請求項１】
ビットレートがＭＧｂｐｓのクライアント信号を処理する４組のクライアント信号用ＭＧｂｐｓ入出力インターフェース（１１〜１４）と、
ＭＧｂｐｓの信号を４多重したビットレートに相当するＮＧｂｐｓのクライアント信号を処理する１組のクライアント信号用ＮＧｂｐｓ入出力インターフェース（１５）と、
ＭＧｂｐｓのライン信号を処理する１組のライン信号用ＭＧｂｐｓ入出力インターフェース（２１）と、
ＮＧｂｐｓのライン信号を処理する１組のライン信号用ＮＧｂｐｓ入出力インターフェース（２２）と、
前記４組のクライアント信号用ＭＧｂｐｓ入出力インターフェースのひとつ（１１）と前記ライン信号用ＭＧｂｐｓ入出力インターフェース（２１）との間の信号変換を行う第一の手段（３７、４２）と、
前記４組のクライアント信号用ＭＧｂｐｓ入出力インターフェースと前記ライン信号用ＮＧｂｐｓ入出力インターフェース（２２）との間の多重または分離および信号変換を行う第二の手段（３１〜３４、３５、３７、４２〜４７）と、
前記クライアント信号用ＮＧｂｐｓ入出力インターフェース（１５）と前記ライン信号用ＮＧｂｐｓ入出力インターフェース（２２）との間の信号変換を行う第三の手段（３７、４２）と、
前記第一の手段、前記第二の手段または前記第三の手段を選択する手段（３６、４１、４８）と
を１チップの基板上に備えたことを特徴とする光伝送システム集積回路。
【請求項２】
前記４組のクライアント信号用ＭＧｂｐｓ入出力インターフェース（１１〜１４）のひとつ（１２）が前記ライン信号用ＭＧｂｐｓ入出力インターフェース（２１）と共通化された請求項１記載の光伝送システム集積回路。
【請求項３】
ビットレートがＭＧｂｐｓの信号を処理する２組のＭＧｂｐｓ入出力インターフェース（１１、１２）と、
ＭＧｂｐｓの信号を４多重したビットレートに相当するＮＧｂｐｓの信号を処理する２組のＮＧｂｐｓ入出力インターフェース（１５、２２）と、
前記２組のＭＧｂｐｓ入出力インターフェースの間でのクライアント信号とライン信号との間の信号変換を行う第一の手段（３７、４２）と、
前記２組のＮＧｂｐｓ入出力インターフェース（１５、２２）の間でクライアント信号とライン信号との信号変換を行う第二の手段（３７、４２）と、
前記２組のＭＧｂｐｓ入出力インターフェース（１１、１２）から入力されたクライアント信号またはそれらのクライアント信号と前記２組のＮＧｂｐｓ入出力インターフェースの一方（１５）からの入力信号を多重分離して得られた二つのＭＧｂｐｓ信号とを多重化およびライン信号に変換して前記２組のＮＧｂｐｓ入出力インターフェースの他方（２２）に出力するとともに、前記２組のＮＧｂｐｓ入出力インターフェースの他方（２２）からの入力信号を多重分離しその一部をクライアント信号に変換して前記２組のＭＧｂｐｓ入出力インターフェース（１１、１２）に出力する第三の手段（３１、３２、５１〜５３、３５、３７、４２〜４５）と、
前記第一の手段、前記第二の手段または前記第三の手段を選択する手段（３６、４１、４８、４９、５４、５５）と
を１チップの基板上に備えたことを特徴とする光伝送システム集積回路。
【請求項４】
請求項３記載の光伝送システム集積回路を２チップ備え、
この２チップの光伝送システム集積回路の一方に設けられた２組のＮＧｂｐｓ入出力インターフェースの一方と、前記２チップの光伝送システム集積回路の他方に設けられ前記２組のＮＧｂｐｓ入出力インターフェースの他方に対応するＮＧｂｐｓ入出力インターフェースとが互いに接続された
ことを特徴とする光伝送システム集積回路。
【請求項５】
ビットレートがＭＧｂｐｓの信号を処理する２組のＭＧｂｐｓ入出力インターフェース（１１、１２）と、
ＭＧｂｐｓの信号を４多重したビットレートに相当するＮＧｂｐｓの信号を処理する１組のＮＧｂｐｓ入出力インターフェース（１５）と、
前記２組のＭＧｂｐｓ入出力インターフェースの間でのクライアント信号とライン信号との間の信号変換を行う第一の手段（３７、４２）と、
前記ＮＧｂｐｓ入出力インターフェース（１５）の入出力間でクライアント信号とライン信号との間の信号変換を行う第二の手段（３７、４２）と、
前記ＮＧｂｐｓ入出力インターフェースからの入力信号を四つのＭＧｂｐｓ信号に多重分離し、そのうち二つのＭＧｂｐｓ信号をクライアント信号に変換して前記２組のＭＧｂｐｓ入出力インターフェース（１１、１２）に出力するとともに、前記２組のＭＧｂｐｓ入出力インターフェース（１１、１２）から入力されたクライアント信号と前記四つのＭＧｂｐｓ信号の残りの二つのＭＧｂｐｓ信号とを多重化およびライン信号に変換して前記ＮＧｂｐｓ入出力インターフェース（１５）から出力する第三の手段（４２、４３、４４、４５、３１、３２、５３、３５、３７）と、
前記第一の手段ないし前記第三の手段のいずれかを選択する手段（３６、４１、４８、４９、５４、５５、６１）と
を１チップの基板上に備えたことを特徴とする光伝送システム集積回路。
【請求項６】
請求項５記載の光伝送システム集積回路を２チップ備え、
この２チップの光伝送システム集積回路の一方に設けられたＮＧｂｐｓ入出力インターフェースの出力が、前記２チップの光伝送システム集積回路の他方に設けられた前記ＮＧｂｐｓ入出力インターフェースの入力に接続された請求項５記載の光伝送システム集積回路。
【請求項７】
Ｍは１０であり、Ｎは４０である請求項１ないし６のいずれか記載の光伝送システム集積回路。
【発明の詳細な説明】
【技術分野】
【０００１】
本発明は光伝送システムの送受信用集積回路に関する。特に、クライアント信号とＩＴＵ−Ｔ勧告Ｇ．７０９「光伝送ネットワーク（ＯＴＮ）のインターフェース」で定義されたＯＴＵ２（光チャネル伝送ユニット２）またはＯＴＵ３とを相互に変換する集積回路に関する。
【背景技術】
【０００２】
近年の情報転送技術の進歩により、１０ＧｂｐｓのＥｔｈｅｒｎｅｔ（登録商標）が実用化され、また、４０Ｇｂｐｓの情報転送も実用化されようとしている。一方、ＩＴＵ−Ｔ勧告Ｇ．７０９には、このようなクライアント信号を光伝送ネットワークで伝送するための光チャネル伝送ユニットとして、ライン・レートが１０ＧｂｐｓのＯＴＵ２、ライン・レートが４０ＧｂｐｓのＯＴＵ３が定義されている。
【０００３】
【特許文献１】特開２００１−１７７４９１
【発明の開示】
【発明が解決しようとする課題】
【０００４】
本発明は、ビットレートがＭＧｂｐｓの信号およびそれを４多重したビットレートに相当するＮＧｂｐｓの信号を処理する集積回路を提供することを目的とし、さらには、１０Ｇｂｐｓあるいは４０Ｇｂｐｓのクライアント信号とＯＴＵ２、ＯＴＵ３との変換を行うための集積回路を提供することを目的とする。
【課題を解決するための手段】
【０００５】
本発明の第一の観点によると、ビットレートがＭＧｂｐｓのクライアント信号を処理する４組のクライアント信号用ＭＧｂｐｓ入出力インターフェースと、ＭＧｂｐｓの信号を４多重したビットレートに相当するＮＧｂｐｓのクライアント信号を処理する１組のクライアント信号用ＮＧｂｐｓ入出力インターフェースと、ＭＧｂｐｓのライン信号を処理する１組のライン信号用ＭＧｂｐｓ入出力インターフェースと、ＮＧｂｐｓのライン信号を処理する１組のライン信号用ＮＧｂｐｓ入出力インターフェースと、前記４組のクライアント信号用ＭＧｂｐｓ入出力インターフェースのひとつと前記ライン信号用ＭＧｂｐｓ入出力インターフェースとの間の信号変換を行う第一の手段と、前記４組のクライアント信号用ＭＧｂｐｓ入出力インターフェースと前記ライン信号用ＮＧｂｐｓ入出力インターフェースとの間の多重または分離および信号変換を行う第二の手段と、前記クライアント信号用ＮＧｂｐｓ入出力インターフェースと前記ライン信号用ＮＧｂｐｓ入出力インターフェースとの間の信号変換を行う第三の手段と、前記第一の手段、前記第二の手段または前記第三の手段を選択する手段とを１チップの基板上に備えたことを特徴とする光伝送システム集積回路が提供される。
【０００６】
Ｍは１０であり、Ｎは４０である請求項１ないし６のいずれか記載の光伝送システム集積回路。
【０００７】
前記４組のクライアント信号用ＭＧｂｐｓ入出力インターフェースのひとつをライン信号用ＭＧｂｐｓ入出力インターフェースと共通化した構成とすることもできる。
【０００８】
本発明の第二の観点によると、ビットレートがＭＧｂｐｓの信号を処理する２組のＭＧｂｐｓ入出力インターフェースと、ＭＧｂｐｓの信号を４多重したビットレートに相当するＮＧｂｐｓの信号を処理する２組のＮＧｂｐｓ入出力インターフェースと、前記２組のＭＧｂｐｓ入出力インターフェースの間でのクライアント信号とライン信号との間の信号変換を行う第一の手段と、前記２組のＮＧｂｐｓ入出力インターフェースの間でクライアント信号とライン信号との信号変換を行う第二の手段と、前記２組のＭＧｂｐｓ入出力インターフェースから入力されたクライアント信号またはそれらのクライアント信号と前記２組のＮＧｂｐｓ入出力インターフェースの一方からの入力信号を多重分離して得られた二つのＭＧｂｐｓ信号とを多重化およびライン信号に変換して前記２組のＮＧｂｐｓ入出力インターフェースの他方に出力するとともに、前記２組のＮＧｂｐｓ入出力インターフェースの他方からの入力信号を多重分離しその一部をクライアント信号に変換して前記２組のＭＧｂｐｓ入出力インターフェースに出力する第三の手段と、前記第一の手段、前記第二の手段または前記第三の手段を選択する手段とを１チップの基板上に備えたことを特徴とする光伝送システム集積回路が提供される。
【０００９】
この光伝送システム集積回路を２チップ設け、この２チップの光伝送システム集積回路の一方に設けられた２組のＮＧｂｐｓ入出力インターフェースの一方と、前記２チップの光伝送システム集積回路の他方に設けられ前記２組のＮＧｂｐｓ入出力インターフェースの他方に対応するＮＧｂｐｓ入出力インターフェースとを互いに接続して使用することができる。
【００１０】
本発明の第三の観点によると、ビットレートがＭＧｂｐｓの信号を処理する２組のＭＧｂｐｓ入出力インターフェース（１１、１２）と、ＭＧｂｐｓの信号を４多重したビットレートに相当するＮＧｂｐｓの信号を処理する１組のＮＧｂｐｓ入出力インターフェースと、前記２組のＭＧｂｐｓ入出力インターフェースの間でのクライアント信号とライン信号との間の信号変換を行う第一の手段と、前記ＮＧｂｐｓ入出力インターフェースの入出力間でクライアント信号とライン信号との間の信号変換を行う第二の手段と、前記ＮＧｂｐｓ入出力インターフェースからの入力信号を四つのＭＧｂｐｓ信号に多重分離し、そのうち二つのＭＧｂｐｓ信号をクライアント信号に変換して前記２組のＭＧｂｐｓ入出力インターフェースに出力するとともに、前記２組のＭＧｂｐｓ入出力インターフェースから入力されたクライアント信号と前記四つのＭＧｂｐｓ信号の残りの二つのＭＧｂｐｓ信号とを多重化およびライン信号に変換して前記ＮＧｂｐｓ入出力インターフェースから出力する第三の手段と、前記第一の手段ないし前記第三の手段のいずれか選択する手段とを１チップの基板上に備えたことを特徴とする光伝送システム集積回路が提供される。
【００１１】
この光伝送システム集積回路を２チップ設け、この２チップの光伝送システム集積回路の一方に設けられたＮＧｂｐｓ入出力インターフェースの出力を、前記２チップの光伝送システム集積回路の他方に設けられた前記ＮＧｂｐｓ入出力インターフェースの入力に接続して使用することができる。
【００１２】
以上の構成において、１０Ｇｂｐｓあるいは４０Ｇｂｐｓのクライアント信号とＯＴＵ２、ＯＴＵ３との変換を行う場合には、Ｍは１０、Ｎは４０である。
【発明の効果】
【００１３】
本発明の第一の観点によれば、ＭＧｂｐｓのクライアント信号を直接収容するＭＧトランスポンダと、ＮＧｂｐｓのクライアント信号を直接収容するＮＧｂｐｓのトランスポンダと、ＭＧｂｐｓのクライアント信号４つを多重収容するＮＧｂｐｓの多重トランスポンダ（Muxponder）とが１つのチップ上に実装される。
【００１４】
クライアント信号用ＭＧｂｐｓ入出力インターフェースのひとつをライン信号用ＭＧｂｐｓ入出力インターフェースと共通化することもできる。高速インターフェースを多数搭載する集積回路は回路規模よりもインターフェースの数によりチップ単価が上昇してしまうが、一部を共通化することで、チップあたりのインターフェースが削減され、チップ単価を下げることができる。
【００１５】
本発明の第二の観点によれば、ＭＧｂｐｓトランスポンダとＮＧｂｐｓトランスポンダとを１チップで実現することができる。また、２チップを接続することで、ＮＧｂｐｓ多重トランスポンダを実現できる。一般的に集積回路の製造コストは、同じチップを大量に製造する程、１チップあたりの製造コストを削減することができる。したがって、ある機能を２つの同一構成のチップで実現した場合でも、１つのチップの製造コストの倍には達せず、それほどコスト高にはならない。
【００１６】
本発明の第三の観点によれば、２チップ構成にしなければＮＧｂｐｓトランスポンダおよびＮＧｂｐｓ多重トランスポンダを実現できないが、１チップあたりの高速インターフェース数はさらに削減される。
【発明を実施するための最良の形態】
【００１７】
以下、図面を参照して本発明の実施例を説明する。以下の実施例では１０Ｇｂｐｓあるいは４０Ｇｂｐｓのクライアント信号とＯＴＵ２、ＯＴＵ３との変換を行うものとし、Ｍが１０、Ｎが４０の場合を説明するが、本発明はこれらの実施例に限定されるものではない。
【実施例１】
【００１８】
図１は本発明第一実施例の光伝送システム集積回路を示す。この集積回路は、クライアント信号用の１０Ｇｂｐｓ入力インターフェース１１−１〜１４−１および出力インターフェース１１−２〜１４−２と、クライアント信号用の４０Ｇｂｐｓ入力インターフェース１５−１および出力インターフェース１５−２と、ライン信号用の１０Ｇｂｐｓ入力インターフェース２１−１および出力インターフェース２１−２と、ライン信号用の４０Ｇｂｐｓ入力インターフェース２２−１および入力インターフェース２２−２とを１チップ上に備え、さらに、入力インターフェース１１−１と出力インターフェース２１−２との間、および入力インターフェース２１−１と出力インターフェース１１−２との間でそれぞれクライアント信号とライン信号との信号変換を行う信号変換回路３７、４２と、入力インターフェース１１−１〜１４−１と出力インターフェース２２−２との間で信号変換および多重化、入力インターフェース２２−１と出力インターフェース１１−２〜１１−４との間で多重分離および信号変換を行う信号変換回路３１〜３４、多重化回路３５、信号変換回路３７、４２、多重分離回路４３および信号変換回路４４〜４７を備え、信号変換回路３７、４７は、入力インターフェース１５−１と出力インターフェース２２−２との間、および入力インターフェース２２−１と出力インターフェース１５−２との間のそれぞれ信号変換に共用される。さらに、動作を選択するためのセレクタ３６、４１、４８を備える。
【００１９】
この集積回路を１０Ｇｂｐｓトランスポンダとして動作させるには、クライアント側に入力インターフェース１１−１および出力インターフェース１１−２を用い、ライン側に入力インターフェース２１−１および出力インターフェース２１−２を用いる。１０Ｇｂｐｓのクライアント信号は、入力インターフェース１１−１からセレクタ３６を介して信号変換回路３７に入力され、ＯＰＵ（光チャネル・ペイロード・ユニット）２、ＯＤＵ（光データ・ユニット）２およびＯＴＵ２への信号変換（マッピング）が施されて、出力インターフェース２１−２からライン側に出力される。一方、ライン信号は、入力インターフェース２１−１からセレクタ４１を介して信号変換回路４２に入力され、クライアント信号への信号変換（デマッピング）が施されて、セレクタ４８および出力インターフェース１１−２を経由してクライアント側に出力される。
【００２０】
４０Ｇｂｐｓトランスポンダとして動作させるには、クライアント側に入力インターフェース１５−１および出力インターフェース１５−２を用い、ライン側に入力インターフェース２２−１および出力インターフェース２２−２を用いる。入力インターフェース１５−１に入力された４０Ｇｂｐｓクライアント信号は、セレクタ３６を介して信号変換回路３７に入力され、ＯＰＵ３、ＯＤＵ３およびＯＴＵ３にマッピングされて、出力インターフェース２２−２からライン側に出力される。一方、入力インターフェース２２−１に入力されたライン信号は、セレクタ４１を介して信号変換回路４２に入力され、クライアント信号にデマッピングされて、出力インターフェース１５−２からクライアント側に出力される。
【００２１】
４０Ｇｂｐｓ多重トランスポンダとして動作させるには、クライアント側に入力インターフェース１１−１〜１４−１および出力インターフェース１１−２〜１４−２を用い、ライン側に入力インターフェース２２−１および出力インターフェース２２−２を用いる。入力インターフェース１１−１〜１４−１に入力された４系統の１０Ｇｂｐｓクライアント信号は、それぞれ信号変換回路３１〜３４によりＯＰＵ２、ＯＤＵ２にマッピングされ、多重化回路３５により多重（ＯＤＴＵ２３マッピング）され、セレクタ３６を介して信号変換回路３７に入力され、ＯＴＵ３にマッピングされて出力インターフェース２２−２からライン側に出力される。一方、入力インターフェース２２−１に入力された４０Ｇｂｐｓライン信号は、セレクタ４１を介して信号変換回路４２に入力され、さらに、多重分離（ＯＤＴＵ２３デマッピング）回路４３および信号変換回路４４〜４７を経由して、ＯＤＵ３、ＯＤＵ２そしてクライアント信号へと順次デマッピングされて、出力インターフェース１１−２〜１４−２からそれぞれ１０Ｇｂｐｓでクライアント側に出力される。
【実施例２】
【００２２】
図２は本発明第二実施例の光伝送システム集積回路を示す。この集積回路は、クライアント信号用の１０Ｇｂｐｓ入力インターフェース１２−１および出力インターフェース１２−２をライン信号用に共通化したことが第一実施例と異なる。
【００２３】
すなわち、第一実施例におけるライン信号用の１０Ｇｂｐｓ入力インターフェース２１−１および出力インターフェース２１−２を省き、入力インターフェース１２−１の出力をセレクタ４１の１０Ｇｂｐｓ入力とし、信号変換回路３７の１０Ｇｂｐｓ出力をセレクタ４９を介して出力インターフェース１２−２に供給する。ライン側１０Ｇｂｐｓ入出力に入力インターフェース１２−１および出力インターフェース１２−２を用いることができることを除けば、その動作は第一実施例と同等である。
【実施例３】
【００２４】
図３は本発明第三実施例の光伝送システム集積回路を示す。この集積回路は、１０Ｇｂｐｓ入力インターフェース１１−１、１２−１および出力インターフェース１１−２、１２−２と、４０Ｇｂｐｓ入力インターフェース１５−１、２２−１および出力インターフェース１５−２、２２−２と、入力インターフェース１１−１と出力インターフェース１２−２との間または入力インターフェース１５−１と出力インターフェース２２−２でクライアント信号からライン信号へのマッピングを行う信号変換回路３７と、入力インターフェース１２−１と出力インターフェース１１−２との間または入力インターフェース２２−１と出力インターフェース１５−２との間でライン信号からクライアント信号へのデマッピングを行う信号変換回路４２と、入力インターフェース１１−１、１２−１から入力されたクライアント信号、またはそれらのクライアント信号と入力インターフェース１５−１からの入力信号を多重分離して得られた二つの１０Ｇｂｐｓ信号とを多重化およびライン信号に変換して出力インターフェース２２−２に出力するための信号変換回路３１、３２、５１、多重分離回路５２、スイッチ５３、多重化回路３５および信号変換回路３７と、入力インターフェース２２−１からの入力信号を多重分離しその一部をクライアント信号に変換して出力インターフェース１１−２、１２−２に出力するための信号変換回路４２、多重分離回路４３、信号変換回路４４、４５と、動作を選択するためのセレクタ３６、４１、４８、４９、５４、５５とを備える。
【００２５】
この集積回路を１０Ｇｂｐｓトランスポンダとして動作させるには、クライアント側に入力インターフェース１１−１および出力インターフェース１１−２を用い、ライン側に入力インターフェース１２−１および出力インターフェース１２−２を用いる。入力インターフェース１１−１に入力された１０Ｇｂｐｓクライアント信号は、セレクタ３６、信号変換回路３７およびセレクタ４９を経由し、出力インターフェース１２−２からライン信号として出力される。一方、入力インターフェース１２−１に入力されたライン信号は、セレクタ４１、信号変換回路４２およびセレクタ４８を経由し、出力インターフェース１１−２からクライアント信号として出力される。
【００２６】
４０Ｇｂｐｓトランスポンダとして動作させるには、クライアント側として入力インターフェース１５−１および出力インターフェース１５−２を用い、ライン側として入力インターフェース２２−１および出力インターフェース２２−２を用いる。入力インターフェース１５−１に入力された４０Ｇｂｐｓのクライアント信号は、セレクタ３６および信号変換回路３７を経由し、ライン信号として出力インターフェース２２−２から出力される。一方、入力インターフェース２２−１に入力されたライン信号は、セレクタ４１および信号変換回路４２を経由し、クライアント信号として出力インターフェース１５−２から出力される。
【００２７】
４０Ｇｂｐｓ多重トランスポンダとして動作させるには、図３に示すように２チップの集積回路を用いる。すなわち、一方のチップの入力インターフェース２２−１および出力インターフェース２２−２をそれぞれ、他方のチップの出力インターフェース１５−２および入力インターフェース１５−１に接続し、クライアント側として二つのチップの入力インターフェース１１−１、１２−１および出力インターフェース１１−２、１２−２を用い、ライン側に、他のチップに接続されていない側の入力インターフェース２２−１および出力インターフェース２２−２を用いる。
【００２８】
一方のチップの入力インターフェース１１−１、１２−１に入力された１０Ｇｂｐｓクライアント信号は、信号変換回路３１または３２、スイッチ５３、多重化回路３５、セレクタ３６および信号変換回路３７を経由し、出力インターフェース２２−２から他方のチップに出力される。この信号は４０Ｇｂｐｓライン信号の形式となっているが、実際にはその半分がダミーの信号である。他方のチップでは、入力インターフェース１１−１、１２−１に入力された１０Ｇｂｐｓクライアント信号がそれぞれ信号変換回路３１、３２によりＯＰＵ２、ＯＤＵ２にマッピングされ、一方、入力インターフェース１５−１から入力された信号が信号変換回路５１および多重分離回路５２によりＯＰＵ２、ＯＤＵ２にデマッピングされる。入力インターフェース１５−１から入力された４０Ｇｂｐｓ信号で有意なのは二つの１０Ｇｂｐｓであり、それらと信号変換回路３１、３２の出力とがスイッチ５３により選択され、多重化回路３５で多重され、セレクタ３６および信号変換回路３７を経由して、出力インターフェース２２−２からライン側に出力される。
【００２９】
他方のチップの入力インターフェース２２−１に入力された４０Ｇｂｐｓライン信号は、セレクタ４１を経由し、出力インターフェース１５−２から前記一方のチップに出力されるとともに、信号変換回路４２を経由して多重分離回路４３により分離され、セレクタ５４、５５、信号変換回路４４、４５およびセレクタ４８、４９を経由し、４０Ｇｂｐｓライン信号に多重されていた４つのクライアント信号のうちの２つが出力インターフェース１１−２、１２−２から出力される。前記他方のチップの出力インターフェース１５−２から前記一方のチップの入力インターフェース２２−１に入力された信号は、セレクタ４１、信号変換回路４２、多重分離回路４３、セレクタ５４、５５、信号変換回路４４、４５およびセレクタ４８、４９を経由し、４０Ｇｂｐｓライン信号に多重されていた４つのクライアント信号のうちの残り２つが出力インターフェース１１−２、１２−２から出力される。
【００３０】
図３ではライン側からの信号が二つチップのそれぞれの信号変換回路４２を通過するような記載となっているが、実際には、前段のチップでは４０Ｇｂｐｓライン信号をそのまま後段に出力している。前段のチップと後段のチップとで同じ動作を行うという観点からは、後段のチップでも４０Ｇｂｐｓライン信号を出力インターフェース１５−２からそのまま出力することになる。ただし、その信号に意味があるわけではない。このため、図３ではそれらの動作に関する構成を省略した。
【実施例４】
【００３１】
図４は本発明第四実施例の光伝送システム集積回路を示す。この集積回路は、１０Ｇｂｐｓ入力インターフェース１１−１、１２−１および出力インターフェース１１−２、１２−２と、４０Ｇｂｐｓ入力インターフェース１５−１および出力インターフェース１５−２と、入力インターフェース１１−１と出力インターフェース１２−２との間および入力インターフェース１５−１と出力インターフェース１５−２との間でクライアント信号とライン信号との間の信号変換を行う信号変換回路３７と、入力インターフェース１２−１と出力インターフェース１１−２との間でライアント信号とライン信号との間の信号変換を行う信号変換回路４２と、入力インターフェース１５−１からの入力信号を四つの１０Ｇｂｐｓ信号に多重分離し、そのうち二つの１０Ｇｂｐｓ信号をクライアント信号に変換して出力インターフェース１１−２、１２−２に出力するとともに、入力インターフェース１１−１、１２−1から入力されたクライアント信号と前記四つの１０Ｇｂｐｓ信号の残りの二つの１０Ｇｂｐｓ信号とを多重化およびライン信号に変換して出力インターフェース１５−２から出力するための信号変換回路４２、多重分離回路４３、信号変換回路４４、４５、３１、３２、スイッチ５３、多重化回路３５および信号変換回路３７と、動作を選択するためのセレクタ３６、４１、４８、４９、５４、５５、６１とを備える。
【００３２】
この集積回路を１０Ｇｂｐｓトランスポンダとして動作させるには、クライアント側に入力インターフェース１１−１および出力インターフェース１１−２を用い、ライン側に入力インターフェース１２−１および出力インターフェース１２−２を用いる。入力インターフェース１１−１に入力された１０Ｇｂｐｓクライアント信号は、セレクタ３６、信号変換回路３７およびセレクタ４９を経由し、ライン信号として出力インターフェース１２−２から出力される。一方、入力インターフェース１２−１に入力されたライン信号は、セレクタ４１、信号変換回路４２およびセレクタ４８を経由し、クライアント信号として出力インターフェース１１−２から出力される。
【００３３】
４０Ｇｂｐｓトランスポンダとして動作させるには、２チップの集積回路を用い、一方をクライアント側からライン側への信号に、他方を逆方向の信号に用いる。一方のチップの入力インターフェース１５−１に入力された４０Ｇｂｐｓのクライアント信号は、セレクタ３６、信号変換回路３７およびセレクタ６１を経由し、ライン信号として出力インターフェース１５−２から出力される。他方のチップの入力インターフェース１５−１に入力された４０Ｇｂｐｓのライン信号は、セレクタ４１、信号変換回路４２およびセレクタ６１を経由し、クライアント信号として出力インターフェース１５−２から出力される。
【００３４】
４０Ｇｂｐｓ多重トランスポンダとして動作させるには、２チップの集積回路を、一方（以下「前段」という）のチップの４０Ｇｂｐｓ出力インターフェース１５−２を他方（以下「後段」という）のチップの４０Ｇｂｐｓ入力インターフェース１５−１に接続し、クライアント側からライン側に多重する二つの１０Ｇｂｐｓ信号と、ライン側からクライアント側へ分離される四つの１０Ｇｂｐｓ信号のうちの二つとを収容する。
【００３５】
四つの１０Ｇｂｐｓクライアント信号は、二つのチップのそれぞれの入力インターフェース１１−１、１２−１に入力される。前段のチップの入力インターフェース１１−１、１２−１に入力された１０Ｇｂｐｓクライアント信号は、信号変換回路３１または３２、スイッチ５３、多重化回路３５、セレクタ３６、信号変換回路３７およびセレクタ６１を経由し、出力インターフェース１５−２から後段のチップに出力される。後段のチップでは、入力インターフェース１１−１、１２−１に入力された１０Ｇｂｐｓクライアント信号がそれぞれ信号変換回路３１、３２によりＯＰＵ２、ＯＤＵ２にマッピングされ、一方、入力インターフェース１５−１から入力された信号がセレクタ４１を介して信号変換回路４２に入力され、この信号変換回路４２と多重分離回路４３とによりＯＰＵ２、ＯＤＵ２にデマッピングされる。入力インターフェース１５−１から入力された４０Ｇｂｐｓ信号のうちライン側に多重すべき二つの１０Ｇｂｐｓ信号と信号変換回路３１、３２の出力とがスイッチ５３により選択され、多重化回路３５で多重され、セレクタ３６、信号変換回路３７およびセレクタ６１を経由して、４０Ｇｂｐｓライン信号として出力インターフェース１５−２から出力される。
【００３６】
４０Ｇｂｐｓライン信号は前段のチップの入力インターフェース１５−１に入力され、セレクタ４１および信号変換回路４２を経由し、多重分離回路４３により四つの１０Ｇｂｐｓ信号に分離される。このうち二つの１０Ｇｂｐｓ信号は、セレクタ５４、５５、信号変換回路４４、４５およびセレクタ４８、４９を経由し、クライアント信号として出力インターフェース１１−２、１２−２から出力される。残りの二つの１０Ｇｂｐｓ信号は、信号変換回路３１、３２からの信号とともに、スイッチ５３、多重化回路３５、セレクタ３６、信号変換回路３７およびセレクタ６１を経由して、出力インターフェース１５−２から後段のチップに出力される。後段のチップでは、セレクタ４１、信号変換回路４２、多重分離回路４３、セレクタ５４、５５、信号変換回路４４、４５およびセレクタ４８、４９を経由し、出力インターフェース１１−２、１２−２からクライアント信号として出力される。
【産業上の利用可能性】
【００３７】
以上説明したように、本発明では、ＭＧｂｐｓのクライアント信号を直接収容するＭＧｂｐｓトランスポンダと、ＮＧｂｐｓのクライアント信号を直接収容するＮＧｂｐｓのトランスポンダと、ＭＧｂｐｓのクライアント信号４つを多重収容するＮＧｂｐｓの多重トランスポンダとを、１または２つのチップで実現できる。表１に、Ｍが１０、Ｎが４０の場合を例に上述した各実施例における１チップあたりのインターフェース数、および各トランスポンダを実現するためのチップ数を示す。
【００３８】
【表１】
2008092410.tif 000003
【図面の簡単な説明】
【００３９】
【図１】本発明第一実施例の光伝送システム集積回路の回路構成図。
【図２】本発明第二実施例の光伝送システム集積回路の回路構成図。
【図３】本発明第三実施例の光伝送システム集積回路の回路構成図。
【図４】本発明第四実施例の光伝送システム集積回路の回路構成図。
【符号の説明】
【００４０】
１１−１〜１４−１、２１−１  １０Ｇｂｐｓ入力インターフェース
１１−２〜１４−２、２１−２  １０Ｇｂｐｓ出力インターフェース
１５−１、２２−１  ４０Ｇｂｐｓ入力インターフェース
１５−２、２２−２  ４０Ｇｂｐｓ出力インターフェース
３１〜３４、３７、４２、４４〜４７、５１  信号変換回路
３５  多重化回路
４３、５２  多重分離回路
３６、４１、４８、４９、５４、５５、６１  セレクタ
５３  スイッチ
【図１】
2008092410.tif 000004
【図２】
2008092410.tif 000005
【図３】
2008092410.tif 000006
【図４】
2008092410.tif 000007